(57)【要約】【課題】予め設定されている記録条件調整領域以外の調整領域を確保する方法および光ディスク装置を提供する。【解決方法】光ディスク記録方法は、緩衝領域とユーザデータ記録再生領域とを備えるデータ領域と、データ領域を管理するための管理情報が記録されるシステム領域とを具備する情報記録媒体に情報を記録する光ディスク記録方法であり、ユーザデータ記録ステップと調整ステップと確保ステップと調整信号記録ステップとを具備する。情報記録媒体のユーザデータ記録再生領域は、緩衝領域によって複数の領域に分割される。ユーザデータ記録ステップは、ユーザデータ記録再生領域にユーザデータを記録する。調整ステップは、ユーザデータを記録するときの記録条件を調整する。確保ステップは、調整ステップで使用される調整用信号が記録される記録条件調整領域をデータ領域に確保する。調整信号記録ステップは、確保ステップで確保された記録条件調整領域に調整用信号を記録する。【選択図】図３
2007184025.tif 000002
【特許請求の範囲】
【請求項１】
上位装置により記録再生ができない緩衝領域と、
前記緩衝領域によって複数の領域に分割され、前記上位装置により記録再生が可能なユーザデータ記録再生領域と
を備えるデータ領域と、
前記データ領域を管理するための管理情報が記録されるシステム領域と
を具備する情報記録媒体に情報を記録する光ディスク記録方法であって、
前記ユーザデータ記録再生領域にユーザデータを記録するときの記録条件を調整するために使用される記録条件調整領域を前記データ領域に確保する確保ステップを具備する光ディスク記録方法。
【請求項２】
さらに、前記ユーザデータを記録するときの記録条件を調整する調整ステップと、
前記確保ステップで確保した前記記録条件調整領域に、前記調整ステップで前記記録条件を調整するために使用される調整用信号を記録する調整信号記録ステップと
を具備する
請求項１に記載の光ディスク記録方法。
【請求項３】
前記確保ステップは、前記緩衝領域内に前記記録条件調整領域を確保するステップを含む
請求項１または請求項２に記載の光ディスク記録方法。
【請求項４】
前記確保ステップは、前記ユーザデータ記録再生領域内に前記記録条件調整領域を設定するステップを含む
請求項１または請求項２に記載の光ディスク記録方法。
【請求項５】
前記確保ステップは、前記記録条件調整領域を前記上位装置により記録再生ができない欠陥ブロックとして前記システム領域に登録するステップを含む
請求項４に記載の光ディスク記録方法。
【請求項６】
複数の領域に分割されたユーザデータ記録再生領域と、
前記ユーザデータ記録再生領域に挟まれ、上位装置により記録再生ができない緩衝領域と
を備える情報記録媒体に対して情報を記録する光ディスク記録方法であって、
前記緩衝領域に記録条件調整領域を確保する確保ステップと、
前記調整領域に調整用信号を記録する調整信号記録ステップと
を具備する光ディスク記録方法。
【請求項７】
ユーザデータ記録再生領域の欠陥ブロックを交替させるための代替領域が予め設定され、前記欠陥ブロックの代替として前記代替領域が上位装置により使用される情報記録媒体に対して情報を記録する光ディスク記録方法であって、
前記ユーザデータ記録再生領域の一部を欠陥ブロックとして登録する欠陥ブロック登録ステップと、
前記欠陥ブロックとして登録された領域を記録条件調整領域として確保する確保ステップと、
前記調整領域に調整用信号を記録する調整信号記録ステップと
を具備する光ディスク記録方法。
【請求項８】
上位装置により記録再生ができない緩衝領域と、
前記緩衝領域によって複数の領域に分割された上位装置により記録再生が可能なユーザデータ記録再生領域と
を備えるデータ領域と、
前記データ領域を管理するための情報が記録されるシステム領域と
を具備する情報記録媒体にデータ信号を記録する記録部と、
前記情報記録媒体に記録されたデータ信号を再生して再生信号を出力する再生部と、
前記情報記録媒体に記録するときの記録条件を調整する調整部と、
前記記録条件を調整するために使用される調整用信号が記録される記録条件調整領域を前記データ領域に確保する制御部と、
前記確保された記録条件調整領域の位置を示す位置情報と、前記確保された記録条件調整領域が調整領域として使用可能であることを示す使用情報とを含む調整領域情報を記憶する記憶部と
を具備する
光ディスク装置。
【請求項９】
前記制御部は、前記緩衝領域に前記記録条件調整領域を確保し、
前記記録部は、確保された前記記録条件調整領域に前記調整用信号を記録し、
前記記憶部は、確保した前記記録条件調整領域の前記調整領域情報を記憶し、
前記調整部は、前記記憶部に記憶された前記調整領域情報に基づいて使用可能な調整領域を使用して前記記録条件を調整する
請求項８に記載の光ディスク装置。
【請求項１０】
前記制御部は、前記ユーザデータ記録再生領域に前記記録条件調整領域を確保し、
前記記録部は、確保された前記記録条件調整領域に前記調整用信号を記録し、
前記記憶部は、確保した前記記録条件調整領域の前記調整領域情報を記憶し、
前記調整部は、前記記憶部に記憶された前記調整領域情報に基づいて使用可能な調整領域を使用して前記記録条件を調整する
請求項８に記載の光ディスク装置。
【請求項１１】
前記制御部は、前記記録条件調整領域を前記上位装置により記録再生ができない欠陥ブロックとして前記システム領域に登録する
請求項１０に記載の光ディスク装置。
【請求項１２】
複数の領域に分割されたユーザデータ記録再生領域と、
前記ユーザデータ記録再生領域に挟まれ、上位装置により記録再生ができない緩衝領域と
を備える情報記録媒体に対して、
前記緩衝領域を記録条件調整領域として確保する手段と、
前記記録条件調整領域に調整用信号を記録する手段と
を具備する光ディスク装置。
【請求項１３】
欠陥ブロックを交替させるための代替領域が予め設定され、ユーザデータ記録再生領域に設定される前記欠陥ブロックの代替として前記代替領域を上位装置が使用する情報記録媒体に対して、
前記ユーザデータ記録再生領域の一部を前記欠陥ブロックとして登録する手段と、
前記欠陥ブロックとして登録された領域を記録条件調整領域として確保する手段と、
前記記録条件調整領域に調整用信号を記録する手段と
を具備する光ディスク装置。
【発明の詳細な説明】
【技術分野】
【０００１】
本発明は、光ディスクに情報を記録する光ディスク記録方法および光ディスク装置に関する。
【背景技術】
【０００２】
光ディスク装置は、光ヘッドを用いて、光ディスクに情報を記録し、光ディスクに記録されている情報を読み出す装置である。光ディスク装置は、良好な記録再生を行うために、種々のパラメータに基づいて調整が行われる。例えば、光ディスクと光ヘッドとの傾き角（チルト）は、光ディスク装置の性能に大きな影響を与えるパラメータの一つである。
【０００３】
光ディスクと光ヘッドとの間が最適なチルトに調整されていれば、良好なレーザビームが光ディスクの情報記録面に照射され、良好な記録再生が行われることになる。しかし、光ディスクと光ヘッドとの間が最適なチルトに調整されていなければ、光ディスクの情報記録面に照射されるレーザビームは収差を生じる。そのため、光ディスク装置の記録再生性能は劣化する。特に、光ディスクに高密度の情報を記録したり、高密度に記録された情報を再生する装置は、光ディスクの記録パターンが微細化しているため、収差をより低減する必要がある。即ち、光ディスク上で良好な記録再生が行われるために、最適なチルトに調整されている必要がある。光ディスクは、個々の媒体において物理的歪みを多少なりとも生じている。そのため、光ディスク毎にチルトが調整される重要性が高まっている。
【０００４】
チルト調整方法は、これまで幾つか考えられている。光ディスク毎に調整する方法としては、光ディスク上の内周又は外周に予め設定されている記録条件調整領域に光ヘッドを移動して調整用の信号を記録、再生することによりチルトを調整する方法が知られている。
【０００５】
例えば、特開２００４−１９９７７９号公報には、対物レンズの傾きを調整するチルト調整用コイルを備えた光学式ピックアップを使用する光ディスク記録再生装置に関する技術が開示されている。この光ディスク記録再生装置は、チルト調整用コイルに供給するオフセット検出用の駆動信号のレベルを変化させながら、記録条件調整領域にオフセット調整用信号を記録する。記録条件調整領域は、ディスクの内周側に設けられている。その後、光ディスク記録再生装置は、オフセット調整用信号の再生動作を行い、再生されるＲＦ信号からβ値を検出する。β値は、再生ＲＦ信号のプラス側ピークレベルをＡ１、マイナス側ピークレベルをＡ２とした時に（Ａ１＋Ａ２）／（Ａ１−Ａ２）で表される値である。その検出されるβ値が最大となる信号を記録したときにチルト調整用コイルに供給された駆動信号のレベルをオフセット値として設定する。光ディスク記録再生装置は、このオフセット値を、チルト制御を行うチルト信号に加算することによってチルト制御を行う。また、特開２００４−１９２７５４号公報には、ＲＦ信号から算出されるβ値の替わりにＲＦ信号のピークレベルを用いる方法が開示されている。
【０００６】
いずれの場合にも、光ディスク上の内周または外周に予め設定されている記録条件調整領域を使用してチルト調整の補正値を得る。この補正値を用いてディスク全面の記録、再生が行われる。したがって、この補正値は、情報を記録再生する領域（ユーザデータ領域）内で実際に記録再生する場所でのチルト量に対して、必ずしも最適な値になっているとは言えない。特に、光ディスクに高密度の情報を記録、再生する場合には、良好な記録再生が行われるために保持しなければならない光ディスクと光ヘッドとの間のチルト量のマージンが狭い。そのため、ユーザデータ領域内の実際に記録再生する場所におけるチルト量は、内周または外周で測定して得たチルト補正値で補正してもマージンの範囲内に収まらず、良好な記録再生ができない状態が発生する。従って、実際に記録再生する場所に、より近い領域でチルト測定が必要になる。
【０００７】
例えば、特開２００５−４９５２号公報に開示されているように、ユーザデータ領域を使うことも考えられる。情報が記録される情報記録媒体は、ユーザデータを記録するためのユーザデータ領域と、記録装置によって試し記録に利用されるテスト領域とを備える。この方法によれば、まず、試し記録を行う際にテスト領域が使用可能であるか否かを検出する。テスト領域が使用可能であると検出された場合には、テスト領域内において試し記録を行い、テスト領域が使用不能と検出された場合には、データ記録領域内において試し記録を行う。データ記録領域内において実施された試し記録に関する管理情報は、所定領域に記録される。しかし、その測定のためにユーザデータ領域を狭めることは望ましくない。
【０００８】
また、特開２００５−２１６４２２号公報には、ユーザデータ領域をレーザパワー調整用の追加領域として使用する光記録再生装置に関する技術が開示されている。この光記録再生装置は、追記型光記録媒体に対して情報を記録再生し、追加領域確保手段と、レーザパワー調整手段と、管理情報記録手段とを備える。追加領域確保手段は、光記録媒体上に予めフォーマットされたレーザパワー調整領域以外の領域に、レーザパワー調整用の追加領域を確保する。レーザパワー調整手段は、レーザパワー調整領域または追加領域に所定の情報を記録および再生したときの状態からレーザ光のパワー調整を行う。管理情報記録手段は、記録情報ファイルの記録アドレスを管理する管理情報を生成して記録媒体に記録する。追加領域を用いてレーザパワー調整を行った場合、管理情報記録手段は、追加領域を管理ファイルから論理上削除して管理情報を生成する。
【０００９】
【特許文献１】特開２００４−１９９７７９号公報
【特許文献２】特開２００４−１９２７５４号公報
【特許文献３】特開２００５−４９５２号公報
【特許文献４】特開２００５−２１６４２２号公報
【発明の開示】
【発明が解決しようとする課題】
【００１０】
本発明の目的は、実際に記録再生する場所により近い領域でユーザー領域を狭めることなく、予め設定されている記録条件調整領域以外の新たな調整領域を確保する光ディスク記録方法および光ディスク装置を提供することにある。
【課題を解決するための手段】
【００１１】
以下に、［発明を実施するための最良の形態］で使用される番号・符号を用いて、課題を解決するための手段を説明する。これらの番号・符号は、［特許請求の範囲］の記載と［発明を実施するための最良の形態］との対応関係を明らかにするために付加されたものである。ただし、それらの番号・符号を、［特許請求の範囲］に記載されている発明の技術的範囲の解釈に用いてはならない。
【００１２】
本発明の観点では、光ディスク記録方法は、緩衝領域とユーザデータ記録再生領域とを備えるデータ領域と、データ領域を管理するための管理情報が記録されるシステム領域とを具備する情報記録媒体に情報を記録する光ディスク記録方法であり、ユーザデータ記録ステップと、調整ステップと、確保ステップと、調整信号記録ステップとを具備する。情報記録媒体の緩衝領域は、上位装置により記録再生ができない。情報記録媒体のユーザデータ記録再生領域は、緩衝領域によって複数の領域に分割され、上位装置により記録再生が可能である。ユーザデータ記録ステップは、ユーザデータ記録再生領域にユーザデータを記録する。調整ステップは、ユーザデータを記録するときの記録条件を調整する。確保ステップは、調整ステップで使用される調整用信号が記録される記録条件調整領域をデータ領域に確保する。調整信号記録ステップは、確保ステップで確保された記録条件調整領域に調整用信号を記録する。
【００１３】
本発明の確保ステップは、緩衝領域内に記録条件調整領域を確保する。確保しようとする記録条件調整領域が既に他の調整用領域として設定されている予約領域に重なるとき、確保ステップは、その予約領域に重なっていない領域のみを記録条件調整領域としてもよい。また、そのときは、予約領域に隣接する領域に記録条件調整領域を確保し直してもよい。
【００１４】
また、本発明の確保ステップは、ユーザデータ記録再生領域に記録条件調整領域を確保する。そのとき、確保ステップは、記録条件調整領域を上位装置により記録再生ができない欠陥ブロックとしてシステム領域に登録する。この場合、ユーザデータ記録ステップは、欠陥ブロックに記録すべきユーザデータを、交替先の代替ブロックに記録する。また、ユーザデータ記録ステップは、欠陥ブロックをスキップしてユーザデータを記録してもよい。
【００１５】
本発明の他の観点では、複数の領域に分割されたユーザデータ記録再生領域と、ユーザデータ記録再生領域に挟まれ、上位装置により記録再生ができない緩衝領域とを備える情報記録媒体に対して情報を記録する光ディスク記録方法は、確保ステップと、調整信号記録ステップとを備える。確保ステップは、緩衝領域に記録条件調整領域を確保する。調整信号記録ステップは、記録条件調整領域に調整用信号を記録する。
【００１６】
また、本発明の他の観点では、ユーザデータ記録再生領域の欠陥ブロックを交替させるための代替領域が予め設定され、欠陥ブロックの代替として代替領域が上位装置により使用される情報記録媒体に対して情報を記録する光ディスク記録方法は、欠陥ブロック登録ステップと、確保ステップと、調整信号記録ステップとを具備する。欠陥ブロック登録ステップは、ユーザデータ記録再生領域の所定の領域を欠陥ブロックとして登録する。確保ステップは、欠陥ブロックを記録条件調整領域として確保する。調整信号記録ステップは、記録条件調整領域に調整用信号を記録する。
【００１７】
さらに、本発明の観点では、光ディスク装置（１０）は、記録部（１２、１３、１５）と、再生部（１２、１４、１５）と、調整部（１６）と、制御部（１７）と、記憶部（１８）とを具備する。光ディスク装置（１０）により情報が記録される情報記録媒体（２０）は、緩衝領域とユーザデータ記録再生領域とを備えるデータ領域と、データ領域を管理するための情報が記録されるシステム領域とを具備する。緩衝領域は、上位装置により記録再生ができない。ユーザデータ記録再生領域は、緩衝領域によって複数の領域に分割された上位装置により記録再生が可能である。記録部（１２、１３、１５）は、情報記録媒体（２０）にデータ信号を記録する。再生部（１２、１４、１５）は、情報記録媒体（２０）に記録されたデータ信号を再生して再生信号を出力する。調整部（１６）は、情報記録媒体（２０）に記録するときの記録条件を調整する。制御部（１７）は、記録条件を調整するために使用される調整用信号が記録される記録条件調整領域をデータ領域に確保する。記憶部（１８）は、確保された記録条件調整領域の位置を示す位置情報と、確保された記録条件調整領域が調整領域として使用可能であることを示す使用情報とを含む調整領域情報を記憶する。
【００１８】
本発明の制御部（１７）は、緩衝領域に記録条件調整領域を確保する。記録部（１２、１３、１５）は、確保された記録条件調整領域に調整用信号を記録する。記憶部（１８）は、制御部（１７）が確保した記録条件調整領域の位置を示す位置情報と、調整する時に使用することができる信号が記録できたとき、記録条件調整領域の使用可能を示す使用情報とを含む調整領域情報を記憶する。調整部（１６）は、記憶部（１８）に記憶された調整領域情報に基づいて、使用可能な調整領域を使用して記録条件を調整する。記録条件調整領域が他の調整用信号を記録するように設定されている予約領域に一部の領域が重なるとき、制御部（１７）は、予約領域を除いた領域を記録条件調整領域としてもよい。また、制御部（１７）は、予約領域に隣接する領域に記録条件調整領域を確保し直してもよい。
【００１９】
本発明の制御部（１７）は、ユーザデータ記録再生領域に記録条件調整領域を確保してもよい。記録部（１２、１３、１５）は、その確保された記録条件調整領域に調整用信号を記録する。記憶部（１８）は、制御部（１７）が確保した記録条件調整領域の位置を示す位置情報と、調整で使用できる信号が記録できたとき、記録条件調整領域が調整領域として使用可能であることを示す使用情報とを含む調整領域情報を記憶する。調整部（１６）は、記憶部（１８）に記憶された調整領域情報に基づいて使用可能な調整領域を使用して記録条件を調整する。このとき、制御部（１７）は、記録条件調整領域をユーザデータが記録再生できない欠陥ブロックとしてシステム領域に登録することが好ましい。また、制御部（１７）は、欠陥ブロックに記録すべきユーザデータを交替先の代替ブロックに記録する。このとき、制御部（１７）は、欠陥ブロックをスキップしてユーザデータを記録してもよい。
【００２０】
また、本発明の他の観点では、光ディスク装置（１０）は、情報記録媒体（２０）に対して、緩衝領域を記録条件調整領域として確保する手段と、記録条件調整領域に調整用信号を記録する手段とを具備する。情報記録媒体（２０）は、複数の領域に分割されたユーザデータ記録再生領域と、ユーザデータ記録再生領域に挟まれ、上位装置により記録再生ができない緩衝領域とを備える。
【００２１】
さらに、本発明の他の観点では、光ディスク装置（１０）は、情報記録媒体（２０）に対して、登録する手段と、確保する手段と、記録する手段とを具備する。情報記録媒体（２０）は、欠陥ブロックを交替させるための代替領域が予め設定されている。ユーザデータ記録再生領域に欠陥ブロックが設定されると、上位装置は、その欠陥ブロックの代替として代替領域を使用する。登録する手段は、ユーザデータ記録再生領域の一部を欠陥ブロックとして登録する。確保する手段は、欠陥ブロックを記録条件調整領域として確保する。記録する手段は、記録条件調整領域に調整用信号を記録する。
【発明の効果】
【００２２】
本発明によれば、予め設定されている記録条件調整領域以外の新たな調整領域を確保することができる光ディスク記録方法および光ディスク装置を提供することができる。
【発明を実施するための最良の形態】
【００２３】
図を参照して、本発明を実施するための最良の形態を説明する。
【００２４】
（第１の実施の形態）
図１は、本発明の第１の実施の形態に係る光ディスク装置の構成を示すブロック図である。光ディスク装置１０は、スピンドル駆動系１１、光ヘッド１２、ＬＤ駆動系１３、ＲＦ信号系１４、データ制御コントローラ１５、システムコントローラ１７、メモリ１８、サーボコントローラ１６を具備する。
【００２５】
スピンドル駆動系１１は、光ディスク２０を駆動する。光ヘッド１２は、レーザダイオード（ＬＤ）、ビームスプリッタ、対物レンズ、受光部を備え、光ディスク２０にレーザ光を照射し、その反射光を検出する。検出された入力信号は、ＲＦ信号系１４に出力される。ＬＤ駆動系１３は、光ヘッド１２のレーザダイオード（ＬＤ）を駆動する。ＲＦ信号系１４は、光ヘッド１２から入力される信号にフィルタリング等の処理を行う。
【００２６】
データ制御コントローラ１５は、光ディスク２０上の目標位置の確認、ＲＦ信号系１４から入力される信号を復調してシステムコントローラ１７に出力し、システムコントローラ１７から入力される記録データを変調してＬＤ駆動系１３に出力する。サーボコントローラ１６は、サーボ信号を生成し、光ヘッド１２の位置、姿勢を制御する。サーボコントローラ１６には、チルト補正機構が含まれる。
【００２７】
システムコントローラ１７は、データ制御コントローラ１５から復調データを取り込み、光ディスク２０に記録すべきデータをデータ制御コントローラ１５に出力する。システムコントローラ１７は、スピンドル駆動系１１、サーボコントローラ１６を制御し、光ディスク装置１０全体を統括する。システムコントローラ１７は、これらの制御情報と光ディスク２０に関する情報をメモリ１８に記憶し、制御に使用する。
【００２８】
光ディスク２０は、ピットピッチが０．１３μｍ、トラックピッチが０．３４μｍのランド・グルーブ・フォーマットの媒体である。ランド・グルーブ・フォーマットとは、案内溝の入射光側からみて丘（グルーブ）と溝（ランド）の両方の部分にデータが記録されるフォーマットである。更に、光ディスク２０は、図２に示されるように、複数の領域（ゾーン）に分割されるゾーンフォーマットのディスクである。ゾーンフォーマットのディスクは、各々のゾーン内においてディスク回転速度が一定になるように制御される。ゾーンを切り替える時に回転速度を変更する必要があり、回転速度変更に伴う緩衝領域（ガード領域）がゾーン境界に備えられる。この緩衝領域は、上位装置から使用できない設定になっている。
【００２９】
図２ではユーザデータ領域が４ゾーンに分割されているディスクの領域が示されている。ディスク２０のユーザデータ領域は、同心円状に内周側から内周ユーザデータ領域２２、中周ユーザデータ領域２４、外周ユーザデータ領域２６、最外周ユーザデータ領域２８に分割されている。それぞれの領域は、内周ゾーン境界２３、中周ゾーン境界２５、外周ゾーン境界２７により隔てられている。更に、図示されていないが内周ユーザデータ領域２２の内周側にリードイン領域が設定され、最外周ユーザデータ領域２８の外周側にリードアウト領域が設定されている。
【００３０】
ゾーンＮとゾーンＮ＋１とのゾーン境界付近の領域構成が、図３に示される。ユーザデータ領域は、同心円状のトラックにより径方向の位置が管理されている。各ゾーンは、トラックの集合であり、ゾーンＮはｍ本のトラックを含む。ゾーン境界の両側にガード領域が設定される。ここでは、隣接するゾーンの各々の２トラックずつがガード領域として上位装置から使用できない領域に設定されている。ゾーン境界の内周側、即ち、ゾーンＮのトラックｍ、ｍ−１と、ゾーン境界の外周側、即ち、ゾーンＮ＋１のトラック０、１とは、ガード領域に設定されている。
【００３１】
ゾーン境界の内周側のガード領域、即ち、ゾーンＮのガード領域であるトラックｍ、ｍ−１の所定の位置に記録条件調整領域が確保される。このトラックｍ、ｍ−１にサーボ調整用領域が設定されている場合、それを避けて記録条件調整領域が確保される。図３では、２ヵ所のサーボ調整用領域が回避されて記録条件調整領域が確保された場合の領域構成が示されている。
【００３２】
図４Ａ／Ｂは、光ディスク装置１０の動作例を示すフローチャートである。ここでは、光ディスク装置１０が新たな記録条件調整領域を確保する手順が説明される。この新たな記録条件調整領域は、良好な記録再生を行うために調整される複数のパラメータの中でも大きな影響を与えるチルトの調整に使用される。この記録条件調整領域は、光ディスク２０上の内周、中周、外周のゾーン境界の内周側のガード領域の一部に新たに確保される。このとき、予め設定されている調整領域、例えば、サーボ調整用の領域があれば、それを避けて記録条件調整領域は、確保される。
【００３３】
まず、光ディスク２０が光ディスク装置１０に装填されると、所定の手順に従って、スピンドルオン、レーザオン、サーボオンというようにドライブの立ち上げ動作が開始される。システム領域に記録されている光ディスク表面から反射膜までの距離、反射膜の数、その他光ディスク２０に記録されている情報等により光ディスクの種類が特定される（ステップＳ４１）。
【００３４】
装填された光ディスク２０が高密度のランド・グルーブ・ゾーンフォーマットのディスクでなければ（ステップＳ４３−Ｎｏ）、領域の確保は中止され（ステップＳ５７）、終了する。
【００３５】
装填された光ディスク２０が高密度のランド・グルーブ・ゾーンフォーマットのディスクの場合（ステップＳ４３−Ｙｅｓ）、システムコントローラ１７は、内周のゾーン境界２３より内周側のガード領域、中周のゾーン境界２５より内周側のガード領域、外周のゾーン境界２７より内周側のガード領域を、チルト調整に使用される記録条件調整領域として確保し、その位置を示す位置情報をメモリ１８に登録する（ステップＳ４４）。チルト調整用信号を記録するため、システムコントローラ１７は、サーボコントローラ１６を介して光ヘッド１２を内周ゾーン境界２３の内周側ガード領域内の所定位置に移動する（ステップＳ４５）。
【００３６】
光ヘッド１２が所定の位置に移動すると、チルト調整用信号が記録条件調整領域に記録される。その際、予め設定されている調整領域、例えば、サーボ調整用の領域があればそれを避けて記録を行う（ステップＳ４６）。
【００３７】
チルト調整する時に必要となる大きさの領域に、チルト調整に使用することができる信号が記録できた時には（ステップＳ４７−Ｙｅｓ）、確保した記録条件調整領域がチルト調整に使用可能な調整領域であると決定され、調整領域として使用可能であることを示す使用情報がメモリ１８に登録される（ステップＳ４８）。一方、チルト調整する時に必要となる大きさの領域に、チルト調整に使用することができる信号が記録できなかった時には（ステップＳ４７−Ｎｏ）、その記録条件調整領域は、チルト調整に使用不可能な調整領域であるため、使用不可能を示す使用情報がメモリ１８に登録される（ステップＳ４９）。使用情報は、先に登録された位置情報に対応させて調整領域情報として格納され、調整領域情報を参照することにより、どの位置にある調整領域が使用できるか或いは使用できないかを判別することができる。
【００３８】
内周の記録条件調整領域の処理をしていた場合（ステップＳ５１−Ｙｅｓ）、中周のゾーン境界の処理に移行する。まず、システムコントローラ１７は、サーボコントローラ１６を介して光ヘッド１２を中周のゾーン境界２５の内周側の所定位置に移動する（ステップＳ５２）。その後、ステップＳ４６に戻って、ステップＳ４８まで中周の記録条件調整領域の処理を同様に行う。即ち、システムコントローラ１７は、データ制御コントローラ１５を介してチルト調整用信号を記録条件調整領域に記録する（ステップＳ４６）。その際、予め設定されている調整領域、例えば、サーボ調整用の領域があれば、それを避けて記録が行われる。チルト調整する時に必要となる大きさの領域に、チルト調整に使用することができる信号が記録できた時には（ステップＳ４７−Ｙｅｓ）、確保した記録条件調整領域がチルト調整に使用可能な調整領域であると決定され、使用可能を示す使用情報がメモリ１８に登録される（ステップＳ４８）。一方、チルト調整する時に必要となる大きさの領域に、チルト調整に使用することができる信号が記録できなかった時には（ステップＳ４７−Ｎｏ）、その記録条件調整領域は、チルト調整に使用不可能な調整領域であるため、使用不可能を示す使用情報がメモリ１８に登録される（ステップＳ４９）。
【００３９】
中周の記録条件調整領域の処理が終了すると（ステップＳ５３−Ｙｅｓ）、外周のゾーン境界の処理に移行する。まず、システムコントローラ１７は、サーボコントローラ１６を介して光ヘッド１２を外周のゾーン境界２７の内周側の所定位置に移動する（ステップＳ５４）。その後、ステップＳ４６に戻って、ステップ４８まで外周の記録条件調整領域の処理を同様に行う。即ち、システムコントローラ１７は、データ制御コントローラ１５を介してチルト調整用信号を記録条件調整領域に記録する（ステップＳ４６）。その際、予め設定されている調整領域、例えば、サーボ調整用の領域があれば、それを避けて記録が行われる。チルト調整する時に必要となる大きさの領域に、チルト調整に使用することができる信号が記録できた時には（ステップＳ４７−Ｙｅｓ）、確保した記録条件調整領域がチルト調整に使用可能な調整領域であると決定され、使用可能を示す使用情報がメモリ１８に登録される（ステップＳ４８）。一方、チルト調整する時に必要となる大きさの領域に、チルト調整に使用することができる信号が記録できなかった時には（ステップＳ４７−Ｎｏ）、その記録条件調整領域は、チルト調整に使用不可能な調整領域であるため、使用不可能を示す使用情報がメモリ１８に登録される（ステップＳ４９）。
【００４０】
このように、光ディスク装置１０は、チルト調整に使用される調整用信号が記録された記録条件調整領域を内周、中周、外周において新たに確保する。その後、光ディスク装置１０は、メモリ１８に登録された調整領域情報に基づいて、記録条件調整領域に記録されているチルト調整用信号を再生し、チルト調整を行う（ステップＳ５５）。この記録条件調整領域は、上位装置から使用することのできないガード領域に確保されているため、ユーザデータの記録に対して影響を与えない。また、この記録条件調整領域は、ユーザデータの記録により影響を受けない。従って、再度チルト調整が必要になった時、メモリ１８に登録された調整領域情報に基づいて記録されているチルト調整用信号を再生してチルト調整することが可能となる。新たにチルト調整用信号を光ディスク２０上に記録する必要がなく、チルト調整を容易に行うことができる。
【００４１】
この記録条件調整領域は、ここでは、チルト調整用信号を記録してチルト調整に使用することとして説明されたが、良好な記録再生を行うために調整される他のパラメータによる調整に使用されてもよい。また、パラメータ毎に同様の手順により領域が確保されてもよい。また、ここでは記録条件調整領域は、光ディスク２０上の内周、中周、外周に確保されたが、他のゾーン境界のガード領域に設定されてもよい。
【００４２】
また、この実施の形態において、チルト調整する時に必要となる大きさの領域に、チルト調整に使用することができる信号が記録できなかった時、確保した記録条件調整領域はそのままにして、次の処理に移るようにした。このとき、確保した記録条件調整領域前後の一定範囲内のゾーン境界より内周側のガード領域をチルト調整に必要な記録条件調整領域として新たに設定してもよい。
【００４３】
（第２の実施の形態）
次に、第２の実施の形態が図を参照して説明される。
【００４４】
高密度のランド・グルーブ・ゾーンフォーマットのディスク内に、欠陥ブロックを交替させるための代替領域が予め設定されている場合がある。上位装置は、ユーザデータ領域の中に欠陥ブロックが設定されていると、欠陥ブロック交替により、そのユーザデータ領域（記録再生領域）の代わりに代替領域を使用することになる。代替領域は、ある程度の記録容量が予め割り当てられ、通常のユーザデータ記録には使用されない。このような欠陥ブロックを設定できる光ディスクの場合、ユーザデータ領域の一部が欠陥ブロックの扱いになると、その領域に対して上位装置からのアクセスは無くなる。従って、その欠陥ブロックとして扱われる領域は、記録条件調整領域として使用されてもよい。即ち、記録条件調整領域として確保する領域を欠陥ブロックとして設定することにより、上位装置は、その欠陥ブロックの替わりに代替領域をアクセスすることになり、上位装置が使用できるユーザデータ領域の容量を減少させることなく記録条件調整領域が確保されることになる。
【００４５】
欠陥ブロックを交替させる方法は、例えば、ＪＩＳ  Ｘ  ６２７１の１３０ｍｍ書換型光ディスクカートリッジの規格書に述べられている。光ディスクに順次データが記録され、光ディスク上に訂正不能な欠陥ブロックが発見された場合、その欠陥ブロックに記録すべきデータは、代替領域のブロックに記録される。次のデータは、欠陥ブロックの次のブロックから続けて記録される。即ち、欠陥ブロックの前後で代替領域へのシークが発生する。また、予め欠陥ブロックが検出されていてその位置が判明している場合、その欠陥ブロックをスキップして記録が行われることが記されている。
【００４６】
この欠陥ブロックに記録条件調整領域を設定する光ディスク装置１０の動作が図５Ａ／Ｂ、図６Ａ／Ｂを参照して説明される。なお、光ディスク装置１０の構成は、図１に示され、既に説明されているため、説明は省略される。
【００４７】
ここでは、光ディスク装置１０は、例えば、代替領域が設定されている光ディスク２０の内周、中周、外周のユーザデータ領域の一部に欠陥ブロックを設定し、その欠陥ブロックをチルト調整に使用される記録条件調整領域として確保する。この欠陥ブロックは、上位装置からの使用は禁止され、そのブロックのデータは代替領域に記録される。なお、記録条件調整領域は、良好な記録再生を行うために調整される他のパラメータの調整に使用されてもよい。
【００４８】
光ディスク装置１０に光ディスク２０が装填されると、所定の手順に従って、スピンドルオン、レーザオン、サーボオンというようにドライブの立ち上げ動作が行われる。このとき、ディスク表面から反射膜までの距離、反射膜の数、光ディスク２０に記録されている情報等に基づいて、光ディスク２０の種類が特定される（ステップＳ６１）。
【００４９】
装填された光ディスク２０が、高密度のランド・グルーブ・ゾーンフォーマットディスクでなければ（ステップＳ６３−Ｎｏ）、記録条件調整領域の確保は中止され（ステップＳ７９）、処理を終了する。
【００５０】
装填された光ディスク２０が、高密度のランド・グルーブ・ゾーンフォーマットディスクのとき（ステップＳ６３−Ｙｅｓ）、光ディスク２０のフォーマット状態を確認する（ステップＳ６４）。欠陥ブロックを登録し、管理するための管理領域と、欠陥ブロックを交替させるための代替領域とが、予め設定されているディスクの場合（ステップＳ６４−Ｙｅｓ）、フォーマット済みディスクの処理を行う（ステップＳ８０）。このフォーマット済みディスクの処理は、図６を参照して後述される。
【００５１】
装填された光ディスク２０が、未フォーマットの場合（ステップＳ６４−Ｎｏ）、以下に示されるように、光ディスク２０の内周、中周、外周のユーザデータ領域にスリップ交替を利用してチルト調整に使用される記録条件調整領域が確保される。
【００５２】
まず、システムコントローラ１７は、光ディスク２０の内周、中周、外周のユーザデータ領域にチルト調整に使用される記録条件調整領域を設定し、その位置を示す位置情報がメモリ１８に登録される（ステップＳ６６）。
【００５３】
次に、システムコントローラ１７は、設定した記録条件調整領域を欠陥ブロックとして登録する（ステップＳ６７）。欠陥ブロックとして登録されると、この後、上位装置は、この設定領域をアクセスすることはできなくなり、登録した欠陥ブロックは、記録条件調整領域として確保されたことになる。
【００５４】
その後、システムコントローラ１７は、サーボコントローラ１６を介して、内周のユーザデータ領域の記録条件調整領域として確保した領域の位置に光ヘッド１２を移動する（ステップＳ６８）。
【００５５】
光ヘッド１２が所定の位置に移動すると、システムコントローラ１７は、データ制御コントローラ１５を介してチルト調整に使用される調整用信号を記録条件調整領域に記録する（ステップＳ７０）。
【００５６】
チルト調整する時に必要となる大きさの領域に、チルト調整に使用することができる信号が記録できた時には（ステップＳ７１−Ｙｅｓ）、確保した記録条件調整領域がチルト調整に使用可能な調整領域であると決定され、使用可能を示す使用情報がメモリ１８に登録される（ステップＳ７２）。一方、チルト調整する時に必要となる大きさの領域に、チルト調整に使用することができる信号が記録できなかった時には（ステップＳ７１−Ｎｏ）、その記録条件調整領域は、チルト調整に使用不可能な調整領域であるため、使用不可能を示す使用情報がメモリ１８に登録される（ステップＳ７３）。使用情報は、先に登録された位置情報に対応させて調整領域情報として格納され、調整領域情報を参照することにより、どの位置にある調整領域が使用できるか或いは使用できないかを判別することができる。
【００５７】
内周の記録条件調整領域の処理をしていた場合（ステップＳ７４−Ｙｅｓ）、中周の記録条件調整領域の処理に移行する。まず、システムコントローラ１７は、中周のユーザデータ領域の記録条件調整領域として確保した領域の位置に光ヘッド１２を移動する（ステップＳ７５）。その後、ステップＳ７０に戻って、ステップＳ７２まで中周における記録条件調整領域の処理を同様に行う。
【００５８】
即ち、システムコントローラ１７は、データ制御コントローラ１５を介してチルト調整に使用される調整用信号を記録条件調整領域に記録する（ステップＳ７０）。チルト調整する時に必要となる大きさの領域に、チルト調整に使用することができる信号が記録できた時には（ステップＳ７１−Ｙｅｓ）、確保した記録条件調整領域がチルト調整に使用可能な調整領域であると決定され、使用可能を示す使用情報がメモリ１８に登録される（ステップＳ７２）。一方、チルト調整する時に必要となる大きさの領域に、チルト調整に使用することができる信号が記録できなかった時には（ステップＳ７１−Ｎｏ）、その記録条件調整領域は、チルト調整に使用不可能な調整領域であるため、使用不可能を示す使用情報がメモリ１８に登録される（ステップＳ７３）。
【００５９】
中周の記録条件調整領域の処理が終了すると（ステップＳ７６−Ｙｅｓ）、外周の記録条件調整領域の処理に移行する。まず、システムコントローラ１７は、外周のユーザデータ領域の記録条件調整領域として確保した位置に光ヘッド１２を移動する（ステップＳ７７）。その後、ステップＳ７０に戻って、ステップＳ７２まで外周における記録条件調整領域の処理を同様に行う。
【００６０】
即ち、システムコントローラ１７は、データ制御コントローラ１５を介してチルト調整に使用される調整用信号を記録条件調整領域に記録する（ステップＳ７０）。チルト調整する時に必要となる大きさの領域に、チルト調整に使用することができる信号が記録できた時には（ステップＳ７１−Ｙｅｓ）、確保した記録条件調整領域がチルト調整に使用可能な調整領域であると決定され、使用可能を示す使用情報がメモリ１８に登録される（ステップＳ７２）。一方、チルト調整する時に必要となる大きさの領域に、チルト調整に使用することができる信号が記録できなかった時には（ステップＳ７１−Ｎｏ）、その記録条件調整領域は、チルト調整に使用不可能な調整領域であるため、使用不可能を示す使用情報がメモリ１８に登録される（ステップＳ７３）。外周の記録条件調整領域の確保の処理が終了すると、光ディスク２０に対するチルト調整に使用される記録条件調整領域をユーザデータ領域に確保する処理が終了する。
【００６１】
その後、光ディスク装置１０は、メモリ１８に登録された記録条件調整領域の位置を示す位置情報とその領域が使用可能であることを示す使用情報とを含む調整領域情報に基づいて、記録条件調整領域に記録されているチルト調整用信号を再生し、チルト調整を行う（ステップＳ７８）。この記録条件調整領域は、上位装置から使用することのできない欠陥ブロックに確保されているため、ユーザデータの記録に対して影響を与えない。また、この記録条件調整領域は、ユーザデータの記録により影響を受けない。従って、再度チルト調整が必要になった時、メモリ１８に登録された記録条件調整領域の位置を示す位置情報とその領域が使用可能であることを示す使用情報とを含む調整領域情報に基づいて、記録されているチルト調整用信号を再生してチルト調整することが可能となる。新たにチルト調整用信号を光ディスク２０上に記録する必要がなく、チルト調整を容易に行うことができる。
【００６２】
管理情報に登録された欠陥情報は、記録条件調整領域を確保する処理の終了後、所定のフォーマット処理が実行される際に、既に光ディスク上に存在する欠陥として処理され、スリップ交替を行うための情報として使用される。
【００６３】
一方、装填された光ディスク２０がフォーマット済みの場合、光ディスク２０の内周、中周、外周のユーザデータ領域に線形置換を利用してチルト調整に必要な記録条件調整領域が確保される。この手順は、図６Ａ、図６Ｂを参照して説明される。
【００６４】
まず、装填された光ディスク２０が、欠陥ブロックを登録管理するための管理領域と欠陥ブロックを交替させるための代替領域とが予め設定されて、欠陥情報が登録可能なディスクであるか否か確認される。欠陥情報が登録できないディスクの場合（ステップＳ８１−Ｎｏ）、記録条件調整領域確保の処理は中止される（ステップＳ９７）。
【００６５】
装填された光ディスク２０が、欠陥情報を登録することができるディスクの場合（ステップＳ８１−Ｙｅｓ）、まず、システムコントローラ１７は、光ディスク２０の内周、中周、外周のユーザデータ領域にチルト調整に使用される記録条件調整領域を設定し、その位置を示す位置情報をメモリ１８に登録する（ステップＳ８３）。
【００６６】
次に、システムコントローラ１７は、設定した記録条件調整領域を欠陥ブロックとして登録する（ステップＳ８４）。欠陥ブロックとして登録されると、この後、上位装置は、この設定領域をアクセスすることはできなくなり、登録した欠陥ブロックは、記録条件調整領域として確保されたことになる。
【００６７】
その後、システムコントローラ１７は、サーボコントローラ１６を介して、内周のユーザデータ領域の記録条件調整領域として確保した領域の位置に光ヘッド１２を移動する（ステップＳ８５）。
【００６８】
光ヘッド１２が所定の位置に移動すると、システムコントローラ１７は、記録条件調整領域として確保した設定領域に既に記録されている記録済み情報を欠陥ブロックの代替領域に移動する（ステップＳ８６）。
【００６９】
その後、システムコントローラ１７は、データ制御コントローラ１５を介してチルト調整に使用されるチルト調整用信号を確保した記録条件調整領域に記録する（ステップＳ８８）。
【００７０】
チルト調整する時に必要となる大きさの領域に、チルト調整に使用することができる信号が記録できた時には（ステップＳ８９−Ｙｅｓ）、確保した記録条件調整領域がチルト調整に使用可能な調整領域であると決定され、使用可能を示す使用情報がメモリ１８に登録される（ステップＳ９０）。一方、チルト調整する時に必要となる大きさの領域に、チルト調整に使用することができる信号が記録できなかった時には（ステップＳ８９−Ｎｏ）、その記録条件調整領域は、チルト調整に使用不可能な調整領域であるため、使用不可能を示す使用情報がメモリ１８に登録される（ステップＳ９１）。
【００７１】
内周の記録条件調整領域を確保する処理をしていた場合（ステップＳ９２−Ｙｅｓ）、中周の記録条件調整領域の処理に移行する。まず、システムコントローラ１７は、中周のユーザデータ領域の記録条件調整領域として確保した領域の位置に光ヘッド１２を移動する（ステップＳ９３）。その後、ステップＳ８６に戻って、ステップＳ９０まで中周における記録条件調整領域の処理を同様に行う。
【００７２】
即ち、システムコントローラ１７は、記録条件調整領域として確保した設定領域に既に記録されている記録済み情報を欠陥ブロックの代替領域に移動する（ステップＳ８６）。その後、システムコントローラ１７は、データ制御コントローラ１５を介してチルト調整に使用されるチルト調整用信号を確保した記録条件調整領域に記録する（ステップＳ８８）。チルト調整する時に必要となる大きさの領域に、チルト調整に使用することができる信号が記録できた時には（ステップＳ８９−Ｙｅｓ）、確保した記録条件調整領域がチルト調整に使用可能な調整領域であると決定され、使用可能を示す使用情報がメモリ１８に登録される（ステップＳ９０）。一方、チルト調整する時に必要となる大きさの領域に、チルト調整に使用することができる信号が記録できなかった時には（ステップＳ８９−Ｎｏ）、その記録条件調整領域は、チルト調整に使用不可能な調整領域であるため、使用不可能を示す使用情報がメモリ１８に登録される（ステップＳ９１）。
【００７３】
中周の記録条件調整領域の処理が終了すると（ステップＳ９４−Ｙｅｓ）、外周の記録条件調整領域の処理に移行する。まず、システムコントローラ１７は、外周のユーザデータ領域の記録条件調整領域として確保した位置に光ヘッド１２を移動する（ステップＳ９５）。その後、ステップＳ８６に戻って、ステップＳ９０まで外周における記録条件調整領域の処理を同様に行う。
【００７４】
即ち、システムコントローラ１７は、記録条件調整領域として確保した設定領域に既に記録されている記録済み情報を欠陥ブロックの代替領域に移動する（ステップＳ８６）。その後、システムコントローラ１７は、データ制御コントローラ１５を介してチルト調整に使用されるチルト調整用信号を確保した記録条件調整領域に記録する（ステップＳ８８）。チルト調整する時に必要となる大きさの領域に、チルト調整に使用することができる信号が記録できた時には（ステップＳ８９−Ｙｅｓ）、確保した記録条件調整領域がチルト調整に使用可能な調整領域であると決定され、使用可能を示す使用情報がメモリ１８に登録される（ステップＳ９０）。一方、チルト調整する時に必要となる大きさの領域に、チルト調整に使用することができる信号が記録できなかった時には（ステップＳ８９−Ｎｏ）、その記録条件調整領域は、チルト調整に使用不可能な調整領域であるため、使用不可能を示す使用情報がメモリ１８に登録される（ステップＳ９１）。外周の記録条件調整領域の確保の処理が終了すると、光ディスク２０に対するチルト調整に使用される記録条件調整領域をユーザデータ領域に確保する処理が終了する。
【００７５】
その後、光ディスク装置１０は、メモリ１８に登録された記録条件調整領域の位置と使用可能をを示す情報に基づいて、記録条件調整領域に記録されているチルト調整用信号を再生し、チルト調整を行う（ステップＳ９６）。この記録条件調整領域は、上位装置から使用することのできない欠陥ブロックに確保されているため、ユーザデータの記録に対して影響を与えない。また、この記録条件調整領域は、ユーザデータの記録により影響を受けない。従って、再度チルト調整が必要になった時、メモリ１８に登録された記録条件調整領域の位置を示す位置情報とその領域が使用可能であることを示す使用情報とを含む調整領域情報に基づいて、記録されているチルト調整用信号を再生してチルト調整することが可能となる。新たにチルト調整用信号を光ディスク２０上に記録する必要がなく、チルト調整を容易に行うことができる。
【００７６】
このように、本発明によれば、欠陥ブロックの代替機能により所望のユーザデータ領域に上位装置からの記録容量を減少させることなく記録条件調整領域を確保することができる。光ディスク２０が、欠陥ブロックを管理するための管理領域に所定の管理情報が既に記録され、欠陥ブロック交替が可能なフォーマット完了状態の高密度のランド・グルーブ・ゾーンフォーマットディスクである場合は、線形置換による代替機能が利用される。従って、光ディスク２０が光ディスク装置１０に装填されると、チルト調整に必要な記録条件調整領域を欠陥ブロックとして管理情報に登録する。その後、記録条件調整領域内の記録済み情報を交替先の代替領域に移動することにより、登録した欠陥ブロックを記録条件調整領域として確保できる。
【００７７】
また、光ディスク２０が、欠陥ブロックを管理するための管理領域に所定の管理情報が記録されていない未フォーマット状態の高密度のランド・グルーブ・ゾーンフォーマットディスクである場合は、スリップ交替による代替機能が利用される。従って、光ディスク２０が光ディスク装置１０に装填されると、所望の位置のチルト調整に必要な記録条件調整領域を欠陥ブロックとして管理情報に登録することにより、登録した欠陥ブロックを記録条件調整領域として確保できる。
【００７８】
第２の実施の形態において、光ディスク装置１０が良好な記録再生を行うために調整するパラメータとしてチルトを例に、記録条件調整領域を新たに確保する動作が説明された。この手順に従って、チルト以外のパラメータを調整する時に使用される記録条件調整領域が新たに確保されても良い。また、記録条件調整領域は、光ディスク２０の内周、中周、外周の３箇所に確保されるとして説明されたが、３箇所に限定されることはない。
【００７９】
また、ここでは、未フォーマットの光ディスク２０が装填された場合、チルト調整に必要な領域を欠陥ブロックとして登録して領域を確保し、その後チルト調整用信号を記録した。未フォーマットの光ディスク２０の場合、欠陥ブロックの登録をせずに、所望の領域にチルト調整用信号を記録してもよい。その場合、チルト調整用信号が記録された領域に、ユーザデータが記録された時に、再度記録条件調整領域確保の処理を行えばよい。ユーザデータがその領域に記録されるまでは、欠陥トラックとして登録されずにその領域を記録条件調整領域として使用することができる。ユーザデータがその領域に記録された時は、記録条件調整領域確保の処理を再度行い、フォーマット済み光ディスク２０に領域を確保する時と同じように、代替領域を利用して記録条件調整領域が確保される。
【００８０】
また、この第２の実施の形態では、挿入された光ディスクが、未フォーマットの場合、チルト調整する時に必要となる大きさの領域に、チルト調整に使用することができる信号が記録できた、できなかったに関係なく、欠陥ブロックとして管理情報に登録した記録条件調整領域は、管理情報に登録したまま、即ち、欠陥ブロックのままにしておいたが、チルト調整が終了した後、欠陥ブロックとして管理情報に登録した記録条件調整領域を削除しても良い。欠陥ブロックの登録が削除されると、その領域は、上位装置からのアクセスが有効となり、ユーザデータが記録される可能性がある。従って、欠陥ブロックの登録を削除する場合、その後チルト調整をする時に再度記録条件調整領域を確保する処理を行えばよい。
【００８１】
また、この第２の実施の形態では、挿入された光ディスクがフォーマット済みの場合、記録条件調整領域として確保したい位置の領域を欠陥ブロックとして登録し、登録された領域内の記録済み情報を交替先の代替領域へ移動して記録条件調整領域を確保した。チルト調整が終了した後、記録条件調整領域に設定された欠陥ブロックを解消してもよい。即ち、代替領域に移動した記録済み情報を交替元の領域に書き戻し、記録条件調整領域が欠陥ブロックとして登録された管理情報を削除してもよい。再度チルト調整が必要となった場合は、再度記録条件調整領域を確保する処理が実施されるとよい。
【００８２】
また、この第２の実施の形態では、チルト調整する時に必要となる大きさの領域に、チルト調整に使用することができる信号が記録できなかった時には、チルト調整に使用不可能な調整領域として、確保した記録条件調整領域はそのままにして次の処理に移るようにした。チルト調整する時に必要となる大きさの領域に、チルト調整に使用することができる信号が記録できなかった記録条件調整領域の前後一定範囲内のユーザデータ領域の一部を欠陥ブロックとして管理情報に登録し、別の記録条件調整領域を新たに確保しても良い。
【図面の簡単な説明】
【００８３】
【図１】本発明の実施の形態に係る光ディスク装置の構成を示すブロック図である。
【図２】光ディスクのゾーン構成を説明する図である。
【図３】本発明の第１の実施の形態に係る調整領域の構成を説明する図である。
【図４Ａ】同光ディスク装置の動作を示すフローチャート（１）である。
【図４Ｂ】同光ディスク装置の動作を示すフローチャート（２）である。
【図５Ａ】本発明の第２の実施の形態に係る光ディスク装置の動作を示すフローチャート（１）である。
【図５Ｂ】同光ディスク装置の動作を示すフローチャート（２）である。
【図６Ａ】同光ディスク装置の動作を示すフローチャート（３）である。
【図６Ｂ】同光ディスク装置の動作を示すフローチャート（４）である。
【符号の説明】
【００８４】
１０  光ディスク装置
１１  スピンドル駆動系
１２  光ヘッド
１３  ＬＤ駆動部
１４  ＲＦ信号系
１５  データ制御コントローラ
１６  サーボコントローラ
１７  システムコントローラ
２０  光ディスク
２２  内周ユーザデータ領域
２３  内周ゾーン境界
２４  中周ユーザデータ領域
２５  中周ゾーン境界
２６  外周ユーザデータ領域
２７  外周ゾーン境界
２８  再外周ユーザデータ領域
【図１】
2007184025.tif 000003
【図２】
2007184025.tif 000004
【図３】
2007184025.tif 000005
【図４Ａ】
2007184025.tif 000006
【図４Ｂ】
2007184025.tif 000007
【図５Ａ】
2007184025.tif 000008
【図５Ｂ】
2007184025.tif 000009
【図６Ａ】
2007184025.tif 000010
【図６Ｂ】
2007184025.tif 000011